(57)【要約】【課題】  対象体内の流体の状態を検知できる新たな方法を提供すること。【解決手段】  支持体１と、第１電極２Ａと、第２電極２Ｂと、を備え、第１電極２Ａおよび第２電極２Ｂは、支持体１に配置されている検知装置Ａ１を用意することと、第１電極２Ａおよび第２電極２Ｂを対象体８１に対向させることと、第１電極２Ａおよび第２電極２Ｂによって構成されるキャパシタＣ１の容量の変化を検知することにより、対象体８１内に存在する流体８２の状態を検知することと、を備える。【選択図】  図３
2018194429.tif 000002
【特許請求の範囲】
【請求項１】
支持体と、第１電極と、第２電極と、を備え、前記第１電極および前記第２電極は、前記支持体に配置されている検知装置を用意することと、
前記第１電極および前記第２電極を対象体に対向させることと、
前記第１電極および前記第２電極によって構成されるキャパシタの容量の変化を検知することにより、前記対象体内に存在する流体の状態を検知することと、を備える、方法。
【請求項２】
前記支持体は、互いに反対側を向く支持体表面および支持体裏面を有し、
前記第１電極および前記第２電極は、前記支持体表面に配置されている、請求項１に記載の方法。
【請求項３】
前記検知装置は、前記支持体に配置された第３電極を備え、
前記第１電極と、前記第２電極と、前記第３電極は、前記キャパシタを構成し、
前記対象体に対向させることは、前記第３電極を前記対象体に対向させることを含む、請求項１または請求項２に記載の方法。
【請求項４】
前記第１電極の第１表面および前記第２電極の第２表面は、平坦であり、
前記対象体に対向させることは、前記第１表面および前記第２表面が互いに９０度以上の角度をなす状態で、前記第１表面および前記第２表面を前記対象体に対向させることを含み、
前記流体の状態を検知することにおいては、前記第１電極の前記第１表面と前記第２電極の前記第２表面との間に電界が形成され、当該電界に前記流体が干渉することによって、前記キャパシタの前記容量の変化を検知する、請求項３に記載の方法。
【請求項５】
前記第３電極の前記第３表面は、平坦であり、
前記対象体に対向させることは、前記第１表面および前記第３表面が互いに９０度以上の角度をなす状態で、前記第１表面および前記第３表面を前記対象体に対向させることを含み、
前記流体の状態を検知することにおいては、前記第１電極の前記第１表面と前記第３電極の前記第３表面との間に電界が形成され、当該電界に前記流体が干渉することによって、前記キャパシタの前記容量の変化を検知する、請求項４に記載の方法。
【請求項６】
前記検知装置において、前記第１電極は、前記第１表面の向く方向視において、前記第２電極および前記第３電極の間に配置されている、請求項３ないし請求項５のいずれかに記載の方法。
【請求項７】
前記検知装置は、前記支持体に配置され、前記第１電極および前記第２電極を覆う絶縁層を更に備える、請求項１ないし請求項６のいずれかに記載の方法。
【請求項８】
前記キャパシタの前記容量に基づき断線を検知することを更に備え、
前記断線を検知することは、前記容量の値が検出上限あるいは検出下限に到達したことにより、行う、請求項１に記載の方法。
【請求項９】
加速度センサの出力値に基づき、前記検知装置の脱落を検知することを更に備える、請求項１に記載の方法。
【請求項１０】
セルフテスト機能を実行することを更に備え、
前記セルフテスト機能を実行することにおいては、前記加速度センサの出力値をモニタすることにより、前記検知装置が脱落、落下、あるいは、傾斜していないことを確認する、請求項９に記載の方法。
【請求項１１】
前記検知装置において取得した信号にタイムスタンプを付与することを更に備える、請求項１に記載の方法。
【請求項１２】
前記検知装置にＧＰＳを設けることと、
前記ＧＰＳによって前記検知装置の設置位置を把握することと、を更に備える、請求項１に記載の方法。
【請求項１３】
前記検知装置の接地高さを記録することを更に備える、請求項１に記載の方法。
【請求項１４】
巻取り式メジャーを前記検知装置に設けることを更に備える、請求項１に記載の方法。
【請求項１５】
環境センサを前記検知装置に設けることを更に備え、前記環境センサは、前記環境センサは、温度センサ、湿度センサ、照度センサ、あるいは、ガスセンサを含む、請求項１に記載の方法。
【請求項１６】
支持体と、
前記支持体に配置された第１電極と、
前記支持体に配置された第２電極と、を備え、
前記第１電極および前記第２電極は、キャパシタを構成し、
前記第１電極および前記第２電極を対象体に対向させた時に前記キャパシタの容量が変化し、前記容量の変化は、前記対象体内の流体の状態に基づく、検知装置。
【請求項１７】
前記支持体は、互いに反対側を向く支持体表面および支持体裏面を有し、
前記第１電極および前記第２電極は、前記支持体表面に配置されている、請求項１６に記載の検知装置。
【請求項１８】
前記支持体に配置された第３電極を更に備え、
前記第１電極と、前記第２電極と、前記第３電極は、前記キャパシタを構成し、
前記第１電極と、前記第２電極と、前記第３電極を前記対象体に対向させた時に前記キャパシタの前記容量が変化し、前記容量の変化は、前記対象体内の前記流体の状態に基づく、請求項１６または請求項１７に記載の検知装置。
【請求項１９】
前記第１電極は、第１表面を有し、前記第２電極は、第２表面を有し、
前記第１電極の前記第１表面と前記第２電極の前記第２表面との間に電界が形成され、当該電界に前記流体が干渉することによって、前記キャパシタの前記容量が変化し、
前記第１表面および前記第２表面は、平坦であり、且つ、互いに９０度以上の角度をなす、請求項１８に記載の検知装置。
【請求項２０】
前記第３電極は、第３表面を有し、
前記第１電極の前記第１表面と前記第３電極の前記第３表面との間に電界が形成され、当該電界に前記流体が干渉することによって、前記キャパシタの前記容量が変化し、
前記第３表面は、平坦であり、前記第１電極および前記第３電極は、互いに９０度以上の角度をなす、請求項１９に記載の検知装置。
【請求項２１】
前記第１電極は、前記第１表面の向く方向視において、前記第２電極および前記第３電極の間に配置されている、請求項１９または請求項２０に記載の検知装置。
【請求項２２】
前記支持体に配置され、前記第１電極および前記第２電極を覆う絶縁層を更に備える、請求項１６ないし請求項２１のいずれかに記載の検知装置。
【請求項２３】
前記第１電極および前記第２電極に電気的に接続しており、前記容量に対応する容量信号を送るセンサＩＣと、
前記センサＩＣから送られた前記容量信号を受ける制御部と、
前記制御部が制御する駆動部と、
前記制御部に電力を供給する電源と、を更に備える、請求項１６ないし請求項２２のいずれかに記載の検知装置。
【請求項２４】
前記制御部に接続し、前記容量信号に由来する通信信号を送る通信部を更に備え、
前記通信部は、ワイヤレス通信を用いて、前記通信信号を送る、請求項２３に記載の検知装置。
【請求項２５】
前記対象体を保持する保持部材を更に備え、
前記保持部材は、第１部品と、第２部品と、を含み、前記第２部品は、前記第１部品に対して回動可能に固定されており、
前記第１部品は、第１保持面を有し、前記第２部品は、第２保持面を有し、
前記支持体は、前記第１保持面側および前記第２保持面側にて、前記第１保持面および前記第２保持面に対し相対的に固定されており、
前記センサＩＣと、前記制御部と、前記駆動部とは、前記第１部品内に配置されており、
前記電源は、前記第２部品内に配置されている、請求項２３または請求項２４に記載の検知装置。
【請求項２６】
前記支持体と前記第１保持面との間、および、前記支持体と前記第２保持面との間に配置された柔軟部を更に備える、請求項２５に記載の検知装置。
【請求項２７】
前記センサＩＣと前記制御部と前記駆動部とが配置された基板を更に備える、請求項２５または請求項２６に記載の検知装置。
【請求項２８】
前記センサＩＣと、前記制御部と、前記駆動部とは、前記支持体に配置されており、
前記第１電極および前記第２電極は、前記センサＩＣと、前記制御部と、前記駆動部とは、前記支持体を挟んで反対側に配置されている、請求項２３または請求項２４に記載の検知装置。
【請求項２９】
前記第１電極および前記第２電極に重なる粘着層と、
前記粘着層を覆う被覆層と、を更に備える、請求項２７に記載の検知装置。
【請求項３０】
少なくとも１つの追加の電極を更に備え、
前記第１部品は、使用者が把持するための把持部を含み、前記検知装置は、前記使用者の指と前記少なくとも１つの追加の電極との間の静電容量の変化に基づき、前記指の前記把持部への接触の有無を検知する、請求項２５に記載の検知装置。
【請求項３１】
前記流体の状態を表示するインジケータを更に備える、請求項１６に記載の検知装置。
【発明の詳細な説明】
【技術分野】
【０００１】
本開示は、流体の状態を検知するための方法と、検知装置と、に関する。
【背景技術】
【０００２】
従来からある対象体内における流体の状態を検知する方法が知られている。たとえばある方法においては、発光素子および受光素子が用いられている。発光素子からの光が、流体の流路に設けられた受光素子により受光される。受光素子が受光した光の量を測定することにより流体の流れ状態が検知される。
【先行技術文献】
【特許文献】
【０００３】
【特許文献１】特開２０１３−１１７４５２号公報
【発明の概要】
【発明が解決しようとする課題】
【０００４】
本開示は、上記した事情のもとで考え出されたものであって、対象体内の流体の状態を検知できる新たな方法を提供することをその主たる課題とする。
【課題を解決するための手段】
【０００５】
本開示の第１の側面によると、支持体と、第１電極と、第２電極と、を備え、前記第１電極および前記第２電極は、前記支持体に配置されている検知装置を用意することと、前記第１電極および前記第２電極を対象体に対向させることと、前記第１電極および前記第２電極によって構成されるキャパシタの容量の変化を検知することにより、前記対象体内に存在する流体の状態を検知することと、を備える、方法が提供される。
【０００６】
本開示の第２の側面によると、支持体と、前記支持体に配置された第１電極と、前記支持体に配置された第２電極と、を備え、前記第１電極および前記第２電極は、キャパシタを構成し、前記第１電極および前記第２電極を対象体に対向させた時に前記キャパシタの容量が変化し、前記容量の変化は、前記対象体内の流体の状態に基づく、検知装置が提供される。
【０００７】
本開示のその他の特徴および利点は、添付図面を参照して以下に行う詳細な説明によって、より明らかとなろう。
【図面の簡単な説明】
【０００８】
【図１】第１実施形態の検知装置の使用状態を示す斜視図である。
【図２】第１実施形態の検知装置の断面図である。
【図３】図２に示した検知装置のうち支持体、複数の電極、および複数の裏面電極等を示す断面図である。
【図４】図３に示した構成の上面図（支持体表面側から見た図であり、一部構成省略）である。
【図５】検知装置の変形例を示す平面図である。
【図６】第１実施形態の複数の電極を模式的に示す図である。
【図７】第１実施形態の検知装置のブロック図である。
【図８】第２実施形態の検知装置の使用状態を示す図である。
【図９】第２実施形態の検知装置の断面図である。
【図１０】図９に示した構成の底面図（支持体裏面側から見た図であり、一部構成省略）である。
【図１１】第２実施形態の検知装置の使用状態を示す図である。
【図１２】検知装置の変形例を示す図である。
【図１３】検知装置の変形例を示す図である。
【発明を実施するための形態】
【０００９】
本開示の検知装置は、たとえば、対象体内に存在する流体の状態を検知するためのものである。対象体内の流体の状態には、たとえば、流体の有無、流体の量、および、流体の増加速度あるいは減少速度が含まれる。流体の一例は、水あるいは薬液であるが、これに限定されない。対象体は、たとえば、植物の茎や、医療用の点滴器具の一部や、水道管である。対象体が植物の茎である場合、当該植物は、たとえば、トマトなどの野菜、苺などの果物である。対象体が植物の茎である場合、検知装置によって、植物の茎内に存在する水分量を検知することができる。植物の茎内の水分量を検知できると、たとえば、当該検知量に基づき、植物の茎内の水分量を調整することができる。これにより、水ストレスを与えることによる果物や野菜の高糖度化が容易となる。対象体が医療用の点滴器具の一部である場合には、当該点滴器具の一部は、たとえば輸液ボトル、点滴筒、あるいは、輸液チューブである。検知装置によって、点滴容器の一部に存在する薬液を検知することができる。これにより、たとえば病院等にて、患者への点滴の終了の有無や薬液の減少速度をより正確に知ることができる。対象体が水道管である場合には、検知装置によって、水道管内のある箇所に存在する水の有無を検知できる。
【００１０】
＜第１実施形態＞
図１〜図７を用いて、本開示の第１実施形態について説明する。
【００１１】
図１は、第１実施形態の検知装置の使用状態を示す斜視図である。
【００１２】
同図に示す検知装置Ａ１は、対象体８１内に存在する流体８２の状態を検知するためのものである。具体的には、対象体８１は、たとえば、植物（より具体的にはトマトや苺）の茎である。流体８２は、たとえば水である。検知装置Ａ１は、植物の茎内に存在する流体８２の量（本実施形態では、水分量に対応する相対量）を検知することができる。
【００１３】
図２は、第１実施形態の検知装置の断面図である。図３は、図２に示した検知装置の一部を示す断面図である。図３に示すように、検知装置Ａ１は、支持体１と、第１電極２Ａと、第２電極２Ｂと、第３電極２Ｃと、第１連絡電極２６Ａと、第２連絡電極２６Ｂと、第３連絡電極２６Ｃと、第１裏面電極２８Ａと、第２裏面電極２８Ｂと、第３裏面電極２８Ｃと、絶縁層３１と、を備える。
【００１４】
支持体１は、たとえば第１電極２Ａおよび第２電極２Ｂ等を支持している。本実施形態において、支持体１は絶縁性の配線基板である。支持体１はフレキシブル基板であることが好ましい。本実施形態では、支持体１における、第１電極２Ａと第２電極２Ｂとの間の部位と、支持体１における第１電極２Ａと第３電極２Ｃとの間の部位と、が屈曲している。支持体１は基板には限定されず、どのようなものであってもよい。支持体１は、互いに反対側を向く支持体表面１１および支持体裏面１２を有する。本実施形態では、支持体表面１１および支持体裏面１２は平坦である。本実施形態とは異なり、支持体１は、伸縮性のあるゴムバンドのような輪状のものであってもよい。
【００１５】
図４は、図３に示した構成の上面図（支持体表面１１側から見た図であり、絶縁層３１を省略）である。
【００１６】
第１電極２Ａ、第２電極２Ｂ、および第３電極２Ｃは、支持体１に配置されている。本実施形態では、第１電極２Ａ、第２電極２Ｂ、および第３電極２Ｃは、支持体１における支持体表面１１に配置されている。第１電極２Ａ、第２電極２Ｂ、および第３電極２Ｃは導電材料よりなる。このような導電材料の一例として、たとえば、Ｃｕ、Ａｇ、およびＡｕが挙げられる。第１電極２Ａ、第２電極２Ｂ、および第３電極２Ｃは、一種類の材料よりなっていてもよいし、複数種類の材料よりなっていてもよい。本実施形態では、第１電極２Ａ、第２電極２Ｂ、および第３電極２Ｃは、各々矩形状である。
【００１７】
第１電極２Ａと、第２電極２Ｂと、第３電極２Ｃは、キャパシタＣ１（図７参照）を構成する。本実施形態では、第１電極２Ａはセンサ電極である。本実施形態ではまた、第２電極２Ｂおよび第３電極２Ｃはグラウンド電極である。すなわち、第２電極２Ｂおよび第３電極２Ｃがグラウンド接続される。したがって、第１電極２Ａと、第２電極２Ｂと、により構成される第１キャパシタ部、および、第１電極２Ａと、第３電極２Ｃと、により構成される第２キャパシタ部によって、キャパシタＣ１が構成される。
【００１８】
第１電極２Ａ、第２電極２Ｂ、および第３電極２Ｃは、それぞれ、第１表面２１Ａ、第２表面２１Ｂ、および第３表面２１Ｃを有する。本実施形態では、第１表面２１Ａ、第２表面２１Ｂ、および第３表面２１Ｃは、各々、平坦である。本実施形態とは異なり、第１表面２１Ａ、第２表面２１Ｂ、および第３表面２１Ｃは、平面ではなく、曲面であってもよい。本実施形態では、第１表面２１Ａ、第２表面２１Ｂ、および第３表面２１Ｃは各々矩形状である。本実施形態とは異なり、第１表面２１Ａ、第２表面２１Ｂ、および第３表面２１Ｃは各々矩形状でなく、他の形状であってもよい。本実施形態では、第１表面２１Ａの向く方向視において、第１電極２Ａが、第２電極２Ｂおよび第３電極２Ｃの間に配置されている。
【００１９】
図６は、第１実施形態の複数の電極を模式的に示す図である。
【００２０】
第１表面２１Ａおよび第２表面２１Ｂは、互いに９０度以上の角度Ｋ１をなすことが好ましい。第１表面２１Ａおよび第２表面２１Ｂは、互いに１４５度以上の角度Ｋ１をなすことが更に好ましい。支持体１が柔軟である場合（たとえばフレキシブル基板である場合）、検知装置Ａ１の使用の際に、角度Ｋ１は変化しうる。角度Ｋ１は、常に９０度以上であることが好ましく、常に１４５度以上であることが更に好ましい。角度Ｋ１の上限は、１８０度であることが好ましい。本実施形態では、第１表面２１Ａおよび第２表面２１Ｂが互いなす角度Ｋ１は、常に、約１７０度である。ただし、場合によっては、角度Ｋ１が９０度未満になってもよい。
【００２１】
図４に示すように、本実施形態では、第１表面２１Ａの面積は、第２表面２１Ｂの面積よりも大きい。本実施形態では、第１表面２１Ａおよび第２表面２１Ｂの離間する方向における第１表面２１Ａの寸法ＬＡは、第１表面２１Ａおよび第２表面２１Ｂの離間する方向における第２表面２１Ｂの寸法ＬＢよりも、大きい。
【００２２】
図６に示すように、検知装置Ａ１の使用の際、第１表面２１Ａには、第１極性の第１電荷２９Ａが蓄えられる。上述のように、第１電極２Ａおよび第２電極２Ｂは、第１キャパシタ部を構成する。したがって、第１表面２１Ａに第１極性の第１電荷２９Ａが蓄えられている場合、第２表面２１Ｂには、第１極性とは反対の第２極性の第２電荷２９Ｂが蓄えられる。第１極性の電荷が正電荷である場合、第２極性の電荷は負電荷である。一方、第１極性の電荷が負電荷である場合、第２極性の電荷は正電荷である。
【００２３】
第１表面２１Ａおよび第３表面２１Ｃは、互いに９０度以上の角度Ｋ２をなすことが好ましい。第１表面２１Ａおよび第３表面２１Ｃは、互いに１４５度以上の角度Ｋ２をなすことが更に好ましい。支持体１が柔軟である場合（たとえばフレキシブル基板である場合）、検知装置Ａ１の使用の際に、角度Ｋ２は変化しうる。角度Ｋ２は、常に９０度以上であることが好ましく、常に１４５度以上であることが更に好ましい。角度Ｋ２の上限は、１８０度であることが好ましい。本実施形態では、第１表面２１Ａおよび第３表面２１Ｃが互いなす角度Ｋ２は、常に、約１７０度である。ただし、場合によっては、角度Ｋ２が９０度未満になってもよい。
【００２４】
図４に示すように、本実施形態では、第１表面２１Ａの面積は、第３表面２１Ｃの面積よりも大きい。本実施形態では、第１表面２１Ａおよび第３表面２１Ｃの離間する方向における第１表面２１Ａの寸法ＬＡは、第１表面２１Ａおよび第３表面２１Ｃの離間する方向における第３表面２１Ｃの寸法ＬＣよりも、大きい。
【００２５】
図４に示すように、第１表面２１Ａ、第２表面２１Ｂ、および第３表面２１Ｃの外郭形状（本実施形態では矩形）の縦寸法Ｌ１は、当該外郭形状の横寸法Ｌ２よりも、大きくてもよい。たとえば、図４とは異なり、図５に示すように、第１表面２１Ａ、第２表面２１Ｂ、および第３表面２１Ｃの外郭形状（本実施形態では矩形）の縦寸法Ｌ３は、当該外郭形状の横寸法Ｌ４よりも、小さくてもよい。
【００２６】
上述のように、第１電極２Ａおよび第３電極２Ｃは、第２キャパシタ部を構成する。したがって、検知装置Ａ１の使用の際に、第１表面２１Ａに第１極性の第１電荷２９Ａが蓄えられている場合、第３表面２１Ｃには、第１極性とは反対の第２極性の第３電荷２９Ｃが蓄えられる。
【００２７】
ある変形例においては、第２電極２Ｂおよび第３電極２Ｃがグラウンド接続されず、第１電極２Ａがグラウンド接続されていてもよい。この場合、第１電極２Ａと、第２電極２Ｂと、により構成されるキャパシタ部、および、第１電極２Ａと、第３電極２Ｃと、により構成されるキャパシタ部によって、キャパシタが構成される。この場合においても、検知装置Ａ１の使用の際に、第１表面２１Ａに第１極性の第１電荷２９Ａが蓄えられている場合、第２表面２１Ｂには第１極性とは反対の第２電荷２９Ｂが蓄えられ、第３表面２１Ｃには第１極性とは反対の第２極性の第３電荷２９Ｃが蓄えられる。
【００２８】
第１裏面電極２８Ａ、第２裏面電極２８Ｂ、および第３裏面電極２８Ｃは、支持体１の支持体裏面１２に配置されている。第１裏面電極２８Ａ、第２裏面電極２８Ｂ、および第３裏面電極２８Ｃは、導電材料よりなる。このような導電材料の一例として、たとえば、Ｃｕ、Ａｇ、およびＡｕが挙げられる。第１裏面電極２８Ａ、第２裏面電極２８Ｂ、および第３裏面電極２８Ｃは、一種類の材料よりなっていてもよいし、複数種類の材料よりなっていてもよい。
【００２９】
第１連絡電極２６Ａ、第２連絡電極２６Ｂ、および第３連絡電極２６Ｃは、導電材料よりなる。このような導電材料の一例として、たとえば、Ｃｕ、Ａｇ、およびＡｕが挙げられる。第１連絡電極２６Ａ、第２連絡電極２６Ｂ、および第３連絡電極２６Ｃは、一種類の材料よりなっていてもよいし、複数種類の材料よりなっていてもよい。
【００３０】
第１連絡電極２６Ａは、第１表面２１Ａおよび第１裏面電極２８Ａに接している。これにより、第１表面２１Ａおよび第１裏面電極２８Ａが導通している。本実施形態では、第１連絡電極２６Ａは、支持体１を貫通している。第２連絡電極２６Ｂは、第２表面２１Ｂおよび第２裏面電極２８Ｂに接している。これにより、第２表面２１Ｂおよび第２裏面電極２８Ｂが導通している。本実施形態では、第２連絡電極２６Ｂは、支持体１を貫通している。第３連絡電極２６Ｃは、第３表面２１Ｃおよび第３裏面電極２８Ｃに接している。これにより、第３表面２１Ｃおよび第３裏面電極２８Ｃが導通している。本実施形態では、第３連絡電極２６Ｃは、支持体１を貫通している。
【００３１】
図３に示した例とは異なり、裏面電極２８Ａ，２８Ｂ，２８Ｃおよび連絡電極２６Ａ，２６Ｂ，２６Ｃが形成されていなくてもよい。そして、支持体１の支持体裏面１２（好ましくは全面）にグラウンド接続された電極（接地板）が設けられていてもよい。これにより、外部環境からのコンデンサＣ１への干渉を抑制できる。
【００３２】
絶縁層３１は、支持体１に配置されている。絶縁層３１は、第１電極２Ａと、第２電極２Ｂと、第３電極２Ｃとを覆っている。絶縁層３１は、たとえば、半導体装置の分野で用いられるレジスト層と称される層である。絶縁層３１は、このようなレジスト層でなくてもよく、カプトン、ポリカーボネート、ガラス、アクリル、またはＡＢＳ樹脂から構成されていてもよい。
【００３３】
図７は、第１実施形態の検知装置のブロック図である。
【００３４】
図２、図７に示すように、本実施形態では、検知装置Ａ１は、基板５０と、センサＩＣ５１と、制御部５２と、駆動部５３と、通信部５５と、記憶部５６と、インジケータ５８と、電源５９と、保持部材６１と、柔軟部６５と、を備える。
【００３５】
保持部材６１は、対象体８１を保持するための部材である。保持部材６１は、たとえばクリップである。保持部材６１は、第１部品６１１と、第２部品６１２と、を含む。第２部品６１２は、第１部品６１１に対して軸６３を中心に回動可能に固定されている。第１部品６１１および第２部品６１２は、たとえば、樹脂よりなる。第１部品６１１内に、基板５０と、センサＩＣ５１と、制御部５２と、駆動部５３と、通信部５５と、記憶部５６と、が配置されている。一方、第２部品６１２内に、電源５９が配置されている。
【００３６】
第１部品６１１は、第１把持部６１１Ｈおよび第１保持面６１１Ａを有する。第２部品６１２は、第２把持部６２１Ｈおよび第２保持面６２１Ａを有する。
【００３７】
第１把持部６１１Ｈおよび第２把持部６２１Ｈは、検知装置Ａ１の使用者が指で、保持部材６１を把持するための部位である。第１保持面６１１Ａ側および第２保持面６２１Ａ側にて、支持体１が、第１保持面６１１Ａおよび第２保持面６２１Ａに対し相対的に固定されている。第１把持部６１１Ｈおよび第２把持部６２１Ｈに少なくとも１つの追加の電極を設けて、当該少なくとも１つの追加の電極と使用者の指との間の静電容量の変化に基づき、人の指の接触の有無を検知してもよい。このことにより、いたずら防止、無断取り外しの検知、あるいは脱落検知などに検知装置Ａ１を応用できる。
【００３８】
柔軟部６５は、支持体１と第１保持面６１１Ａとの間、および、支持体１と第２保持面６２１Ａとの間に配置されている。柔軟部６５は、たとえばウレタンゴムよりなる。柔軟部６５は、第１電極２Ａ、第２電極２Ｂ、および第３電極２Ｃを覆う絶縁層３１を、より適切に対象体８１に当接させるためのものである。
【００３９】
図２に示す基板５０は、たとえば配線基板である。本実施形態では、基板５０には、センサＩＣ５１と、制御部５２と、駆動部５３と、通信部５５と、記憶部５６と、が配置されている。基板５０において、センサＩＣ５１と、制御部５２と、駆動部５３は、通信部５５および記憶部５６とは反対側に配置されている。
【００４０】
図２、図７に示すセンサＩＣ５１は、第１電極２Ａと、第２電極２Ｂと、第３電極２Ｃとに電気的に接続している。センサＩＣ５１は、第１電極２Ａと、第２電極２Ｂと、第３電極２Ｃとにより構成されたキャパシタＣ１の容量に対応する信号を、第１電極２Ａと、第２電極２Ｂと、第３電極２Ｃとから受ける。センサＩＣ５１は、当該信号をＡ／Ｄ変換し、キャパシタＣ１の容量に対応する容量信号Ｓ１を送る。
【００４１】
図２、図７に示す制御部５２は、センサＩＣ５１から容量信号Ｓ１を受け、所望の処理を行う。制御部５２の一例は、ＭＣＵ（Ｍｉｃｒｏ  Ｃｏｎｔｒｏｌｌｅｒ  Ｕｎｉｔ）である。ＭＣＵと同一のモジュール内に、環境センサ（たとえば、温度センサ、湿度センサ、照度センサ、あるいは、ガスセンサ）が設けられていてもよい。制御部５２は、通信信号Ｓ２を生成する。通信信号Ｓ２は、容量信号Ｓ１に由来する。一例としては、制御部５２は、センサＩＣ５１から受けた容量信号Ｓ１をしきい値と比較し、容量信号Ｓ１が当該しきい値を越えていた場合、通信信号Ｓ２を生成する。本実施形態では、通信信号Ｓ２は、通信部５５に送られる。
【００４２】
図２、図７に示す駆動部５３は、たとえばドライバＩＣであり、制御部５２が制御する。記憶部５６は所望のデータ（たとえば制御部５２における処理に用いるデータ）を記憶する。記憶部５６は、たとえばメモリーカードである。この場合、検知装置Ａ１にメモリーカードを差し込めるスロットを設けておいてもよい。あるいは、記憶部５６からデータをＵＳＢメモリによって取り出し可能としてもよい。通信部５５は、制御部５２から受けた通信信号Ｓ２を、検知装置Ａ１外の通信部７１に送る。本実施形態では、通信部５５はワイヤレス通信を用いて、通信信号Ｓ２を送る。通信部７１が受けた通信信号Ｓ２は、制御部７２により処理される。本実施形態とは異なり、検知装置は、ワイヤレス通信を用いずに、有線で外部と接続されていてもよい。なお、通信信号Ｓ２は、ゲートウェイ等を経由して伝達されてもよい。ワイヤレス通信が用いられている場合には、ゲートウェイを経由した後にクラウドサーバに伝達されてもよい。有線接続されている場合には、ゲートウェイを経由した後に（クラウドではない）データサーバに伝達されてもよい。
【００４３】
図１、図７に示すインジケータ５８は、たとえば、液晶ディスプレイやＬＥＤである。インジケータ５８は、水分量の程度によって色分け表示や文字を表示しうる。これにより、作業者が直感的に水分量を直感的に認識できる。インジケータ５８は、制御部５２により制御される。
【００４４】
図２に示す電源５９は、制御部５２や駆動部５３に電力を供給する。本実施形態では、電源５９は充電式のものである。電源５９はソーラ発電機能を有していても良い。図７に示すように、モータ製品５７（たとえば、送風機、温風機、あるいはポンプ）が駆動部５３に接続されていてもよい。
【００４５】
検知装置Ａ１の使用方法について説明する。
【００４６】
まず、上述した検知装置Ａ１を用意する。次に、検知装置Ａ１における第１電極２Ａおよび第２電極２Ｂを対象体８１（図１参照）に対向させる。このとき、第１表面２１Ａおよび第２表面２１Ｂが互いに９０度以上の角度Ｋ１（図６参照）をなす状態で、第１表面２１Ａおよび第２表面２１Ｂを対象体８１に対向させる。本実施形態では、検知装置Ａ３における第３電極２Ｃも対象体８１に対向させる。このとき、対象体８１に対向させることは、第１表面２１Ａおよび第３表面２１Ｃが互いに９０度以上の角度Ｋ２をなす状態で、第１表面２１Ａおよび第３表面２１Ｃを対象体８１に対向させる。
【００４７】
次に、第１電極２Ａと、第２電極２Ｂと、第３電極２Ｃによって構成されるキャパシタＣ１の容量の変化を検知することにより、対象体８１内に存在する流体８２の状態を検知する。流体８２の状態を検知する際、第１電極２Ａと第２電極２Ｂとの間に電圧が印加されており、第１電極２Ａと第３電極２Ｃとの間に電圧が印加されている。そのため、図６に示すように、第１表面２１Ａには、第１極性の第１電荷２９Ａが蓄えられ、第２表面２１Ｂには、第１極性とは反対の第２極性の第２電荷２９Ｂが蓄えられている。また、第３表面２１Ｃには、第２極性の第３電荷２９Ｃが蓄えられている。そして、第１電荷２９Ａの量、第２電荷２９Ｂの量、および第３電荷２９Ｃの量は、対象体８１内の流体８２の状態に基づき変化しうる。この際、第１電極２Ａの第１表面２１Ａと第２電極２Ｂの第２表面２１Ｂとの間に電界が形成され、また、第１電極２Ａの第１表面２１Ａと第３電極３Ｂの第３表面３１Ｂの間に電界が形成される。
【００４８】
流体８２の比誘電率は、空気の比誘電率と異なる。たとえば、流体８２が水である場合には、比誘電率は約８０である。したがって、流体の有無や流量の変化に伴って誘電率が変化し、それによってキャパシタＣ１の容量の変化を検知する（具体的には、上述の電界に流体８１が干渉することによって、キャパシタＣ１の容量の変化を検知する）ことにより、対象体８１内の流体８２の状態を検知できる。本実施形態では、たとえば、検知装置Ａ１を用いることにより、対象体８１（植物の茎）内の検知装置Ａ１近傍における流体８２の状態（水分量や水分量の変化）を検知することができる。植物の茎内の水分量を検知できると、たとえば、当該検知量に基づき、植物の茎内の水分量を調整することができる。これにより、水ストレスを与えることによる果物や野菜の高糖度化が容易となる。
【００４９】
次に、本実施形態の作用効果について説明する。
【００５０】
本実施形態においては、第１電極２Ａおよび第２電極２Ｂによって構成されるキャパシタＣ１の容量の変化を検知することにより、対象体８１内に存在する流体８２の状態を検知する。このような構成によると、対象体８１内の流体８２の状態を検知できる新たな方法を提供することができる。
【００５１】
本実施形態においては、第１電極２Ａおよび第３電極２Ｃによって構成されるキャパシタＣ１の容量の変化を検知することにより、対象体８１内に存在する流体８２の状態を検知する。このような構成によると、より適格に、対象体８１内の流体８２の状態を検知できる。
【００５２】
本実施形態においては、センサＩＣ５１と、制御部５２と、駆動部５３とは、保持部材６１における第１部品６１１内に配置されている。このような構成によると、キャパシタＣ１の容量を検知する際のノイズの原因となりうる部品を、第１電極２Ａ、第２電極２Ｂ、および第３電極２Ｃからより離間させることができる。これにより、より適切にキャパシタＣ１の容量の変化を検知できる。なお、人体、金属、商用電源が外来ノイズとなりうる。外来ノイズの影響を抑制するためには、電極２ＡとセンサＩＣ５１の間の配線長を極力短くすることが好ましい。
【００５３】
＜第２実施形態＞
図８〜図１１を用いて、本開示の第２実施形態について説明する。
【００５４】
なお、以下の説明では、上記と同一または類似の構成については上記と同一の符号を付し、説明を適宜省略する。
【００５５】
図８は、第２実施形態の検知装置の使用状態を示す図である。図９は、第２実施形態の検知装置の断面図である。図１０は、図９に示した構成の底面図（支持体裏面側から見た図であり、一部構成省略）である。
【００５６】
これらの図に示す検知装置Ａ２は、支持体１と、第１電極２Ａと、第２電極２Ｂと、第３電極２Ｃと、絶縁層３１と、粘着層３３と、被覆層３５と、センサＩＣ５１と、制御部５２と、駆動部５３と、通信部５５と、記憶部５６と、インジケータ５８と、電源５９と、を備える。
【００５７】
検知装置Ａ２は、粘着層３３と、被覆層３５と、を備える点において、検知装置Ａ１と異なる。また、検知装置Ａ２は、センサＩＣ５１と、制御部５２と、駆動部５３と、通信部５５と、記憶部５６と、支持体１の支持体裏面１２に配置されている点において、検知装置Ａ１と異なる。検知装置Ａ２における支持体１は、検知装置Ａ１における支持体１よりも硬い配線基板である。本実施形態では、対象体８１は、医療用の点滴器具の一部である。当該点滴器具の一部は、たとえば輸液ボトル、点滴筒、あるいは、輸液チューブである。
【００５８】
粘着層３３は、対象体８１の側面に貼り付け可能な材料よりなる。被覆層３５は、セパレータと称されるものである。検知装置Ａ２の使用開始前にて粘着層３３の表面を保護する。検知装置Ａ２の使用の際に被覆層３５を粘着層３３から剥離し、粘着層３３を露出させる。
【００５９】
本実施形態では、図１０に示すように、センサＩＣ５１と、制御部５２と、駆動部５３と、通信部５５と、記憶部５６との少なくとも１つが、第１電極２Ａと第２電極２Ｂとの間の隙間、あるいは、第１電極２Ａと第３電極２Ｃとの間の隙間のいずれか１つに、重なっている。特に、センサＩＣ５１が、第１電極２Ａと第２電極２Ｂとの間の隙間、あるいは、第１電極２Ａと第３電極２Ｃとの間の隙間のいずれか１つに重なっていることが好ましい。これにより、センサＩＣ５１と第１電極２Ａ、第２電極２Ｂ、あるいは第３電極２Ｃとの間に生じうる寄生容量の低減を図ることができる。また、電極２Ａ等とセンサＩＣ５１間にて寄生容量が生じうる。したがって、電極２Ａ等とセンサＩＣ５１間の配線長をより短くすることが好ましい。センサＩＣ５１以降の信号はデジタル化されている為、外来ノイズの影響は受けにくい。
【００６０】
電源５９は、センサＩＣ５１等を覆う絶縁層上に配置されている。本実施形態では、たとえば、電源５９はソーラ発電する機能を有する。
【００６１】
検知装置Ａ２を使用する際は、検知装置Ａ２における粘着層３３から被覆層３５を剥がし、粘着層３３を対象体８１の側面に貼り付ける（図８、図１１参照）。この状態で、第１電極２Ａにおける第１表面２１Ａと、第２電極２Ｂにおける第２表面２１Ｂと、第３電極２Ｃにおける第３表面２１Ｃと、を対象体８１に対向させる。そして、検知装置Ａ１に関して述べたのと同様に、対象体８１内の流体８２の状態を検知できる。すなわち本実施形態では、点滴容器の一部に存在する流体８２（本実施形態では薬液）を検知することができる。これにより、たとえば病院等にて、患者への点滴の終了の有無や薬液の減少速度を知ることができる。
【００６２】
本実施形態においては、第１電極２Ａおよび第２電極２Ｂによって構成されるキャパシタＣ１の容量の変化を検知することにより、対象体８１内に存在する流体８２の状態を検知する。このような構成によると、対象体８１内の流体８２の状態を検知できる新たな方法を提供することができる。
【００６３】
本実施形態においては、第１電極２Ａおよび第３電極２Ｃによって構成されるキャパシタＣ１の容量の変化を検知することにより、対象体８１内に存在する流体８２の状態を検知する。このような構成によると、より適格に、対象体８１内の流体８２の状態を検知できる。
【００６４】
図１２に示すように、検知装置における電極２１Ａ，２１Ｂ，２１Ｃが、同図に示すように縦に細長い電極であってもよい。そして、これらの電極が輸液ボトルの側面に貼り付けられる。図１２に示す構成により、流体８２の変化量をリニアに検知できる。あるいは、図１３に示すように、検知装置における電極２１Ａ，２１Ｂ，２１Ｃが、縦に配列させつつ、輸液ボトルの側面に貼り付けられてもよい。
【００６５】
本開示は、上述した実施形態に限定されるものではない。本開示の各部の具体的な構成は、種々に設計変更自在である。
【００６６】
一変形例においては、キャパシタＣ１の容量値に基づき断線を検知する機能を検知装置が備えていてもよい。当該機能においては、キャパシタＣ１の容量値が検出上限、あるいは、下限（ゼロ値）に到達したことにより、断線を検知するとよい。
【００６７】
一変形例においては、検知装置が加速度センサを備えていてもよい。当該加速度センサの出力値により、電極の脱落を検知する機能を検知装置が備えていてもよい。更に、検知装置がセルフテスト機能を有していてもよい。当該セルフテスト機能においては、上記加速度センサの出力値をモニタすることにより、検知装置が脱落／落下／傾斜（外れかけ）していないことを確認するとよい。
【００６８】
一変形例においては、取得した信号（容量値や加速度）にタイムスタンプを付与できる機能を検知装置が有していてもよい。取得信号の解析／データ処理を容易にさせ、外部機器との連携も可能にさせる。
【００６９】
一変形例においては、検知装置がＧＰＳを備えていてもよい。検知装置が、このＧＰＳにより検知装置の設置位置を把握できる機能を有していてもよい。ビニルハウスや病院などの広大なエリアで検知装置を使用する場合、遠隔からのモニタを容易にさせる。他の変形例においては、検知装置の設置高さを記録できる機能を検知装置が有していてもよい。また、検知装置が巻き取り式メジャーなどを更に有していてもよい。
【００７０】
本開示は、以下の付記を含む。
［付記１］
支持体と、第１電極と、第２電極と、を備え、前記第１電極および前記第２電極は、前記支持体に配置されている検知装置を用意することと、
前記第１電極および前記第２電極を対象体に対向させることと、
前記第１電極および前記第２電極によって構成されるキャパシタの容量の変化を検知することにより、前記対象体内に存在する流体の状態を検知することと、を備える、方法。
［付記２］
前記支持体は、互いに反対側を向く支持体表面および支持体裏面を有し、
前記第１電極および前記第２電極は、前記支持体表面に配置されている、付記１に記載の方法。
［付記３］
前記検知装置は、前記支持体に配置された第３電極を備え、
前記第１電極と、前記第２電極と、前記第３電極は、前記キャパシタを構成し、
前記対象体に対向させることは、前記第３電極を前記対象体に対向させることを含む、付記１または付記２に記載の方法。
［付記４］
前記第１電極の第１表面および前記第２電極の第２表面は、平坦であり、
前記対象体に対向させることは、前記第１表面および前記第２表面が互いに９０度以上の角度をなす状態で、前記第１表面および前記第２表面を前記対象体に対向させることを含み、
前記流体の状態を検知することにおいては、前記第１電極の前記第１表面と前記第２電極の前記第２表面との間に電界が形成され、当該電界に前記流体が干渉することによって、前記キャパシタの前記容量の変化を検知する、付記３に記載の方法。
［付記５］
前記第３電極の前記第３表面は、平坦であり、
前記対象体に対向させることは、前記第１表面および前記第３表面が互いに９０度以上の角度をなす状態で、前記第１表面および前記第３表面を前記対象体に対向させることを含み、
前記流体の状態を検知することにおいては、前記第１電極の前記第１表面と前記第３電極の前記第３表面との間に電界が形成され、当該電界に前記流体が干渉することによって、前記キャパシタの前記容量の変化を検知する、付記４に記載の方法。
［付記６］
前記検知装置において、前記第１電極は、前記第１表面の向く方向視において、前記第２電極および前記第３電極の間に配置されている、付記３ないし付記５のいずれかに記載の方法。
［付記７］
前記検知装置は、前記支持体に配置され、前記第１電極および前記第２電極を覆う絶縁層を更に備える、付記１ないし付記６のいずれかに記載の方法。
［付記８］
前記キャパシタの前記容量に基づき断線を検知することを更に備え、
前記断線を検知することは、前記容量の値が検出上限あるいは検出下限に到達したことにより、行う、付記１に記載の方法。
［付記９］
加速度センサの出力値に基づき、前記検知装置の脱落を検知することを更に備える、付記１に記載の方法。
［付記１０］
セルフテスト機能を実行することを更に備え、
前記セルフテスト機能を実行することにおいては、前記加速度センサの出力値をモニタすることにより、前記検知装置が脱落、落下、あるいは、傾斜していないことを確認する、付記９に記載の方法。
［付記１１］
前記検知装置において取得した信号にタイムスタンプを付与することを更に備える、付記１に記載の方法。
［付記１２］
前記検知装置にＧＰＳを設けることと、
前記ＧＰＳによって前記検知装置の設置位置を把握することと、を更に備える、付記１に記載の方法。
［付記１３］
前記検知装置の接地高さを記録することを更に備える、付記１に記載の方法。
［付記１４］
巻取り式メジャーを前記検知装置に設けることを更に備える、付記１に記載の方法。
［付記１５］
環境センサを前記検知装置に設けることを更に備え、前記環境センサは、前記環境センサは、温度センサ、湿度センサ、照度センサ、あるいは、ガスセンサを含む、付記１に記載の方法。
［付記１６］
支持体と、
前記支持体に配置された第１電極と、
前記支持体に配置された第２電極と、を備え、
前記第１電極および前記第２電極は、キャパシタを構成し、
前記第１電極および前記第２電極を対象体に対向させた時に前記キャパシタの容量が変化し、前記容量の変化は、前記対象体内の流体の状態に基づく、検知装置。
［付記１７］
前記支持体は、互いに反対側を向く支持体表面および支持体裏面を有し、
前記第１電極および前記第２電極は、前記支持体表面に配置されている、付記１６に記載の検知装置。
［付記１８］
前記支持体に配置された第３電極を更に備え、
前記第１電極と、前記第２電極と、前記第３電極は、前記キャパシタを構成し、
前記第１電極と、前記第２電極と、前記第３電極を前記対象体に対向させた時に前記キャパシタの前記容量が変化し、前記容量の変化は、前記対象体内の前記流体の状態に基づく、付記１６または付記１７に記載の検知装置。
［付記１９］
前記第１電極は、第１表面を有し、前記第２電極は、第２表面を有し、
前記第１電極の前記第１表面と前記第２電極の前記第２表面との間に電界が形成され、当該電界に前記流体が干渉することによって、前記キャパシタの前記容量が変化し、
前記第１表面および前記第２表面は、平坦であり、且つ、互いに９０度以上の角度をなす、付記１８に記載の検知装置。
［付記２０］
前記第３電極は、第３表面を有し、
前記第１電極の前記第１表面と前記第３電極の前記第３表面との間に電界が形成され、当該電界に前記流体が干渉することによって、前記キャパシタの前記容量が変化し、
前記第３表面は、平坦であり、前記第１電極および前記第３電極は、互いに９０度以上の角度をなす、付記１９に記載の検知装置。
［付記２１］
前記第１電極は、前記第１表面の向く方向視において、前記第２電極および前記第３電極の間に配置されている、付記１９または付記２０に記載の検知装置。
［付記２２］
前記支持体に配置され、前記第１電極および前記第２電極を覆う絶縁層を更に備える、付記１６ないし付記２１のいずれかに記載の検知装置。
［付記２３］
前記第１電極および前記第２電極に電気的に接続しており、前記容量に対応する容量信号を送るセンサＩＣと、
前記センサＩＣから送られた前記容量信号を受ける制御部と、
前記制御部が制御する駆動部と、
前記制御部に電力を供給する電源と、を更に備える、付記１６ないし付記２２のいずれかに記載の検知装置。
［付記２４］
前記制御部に接続し、前記容量信号に由来する通信信号を送る通信部を更に備え、
前記通信部は、ワイヤレス通信を用いて、前記通信信号を送る、付記２３に記載の検知装置。
［付記２５］
前記対象体を保持する保持部材を更に備え、
前記保持部材は、第１部品と、第２部品と、を含み、前記第２部品は、前記第１部品に対して回動可能に固定されており、
前記第１部品は、第１保持面を有し、前記第２部品は、第２保持面を有し、
前記支持体は、前記第１保持面側および前記第２保持面側にて、前記第１保持面および前記第２保持面に対し相対的に固定されており、
前記センサＩＣと、前記制御部と、前記駆動部とは、前記第１部品内に配置されており、
前記電源は、前記第２部品内に配置されている、付記２３または付記２４に記載の検知装置。
［付記２６］
前記支持体と前記第１保持面との間、および、前記支持体と前記第２保持面との間に配置された柔軟部を更に備える、付記２５に記載の検知装置。
［付記２７］
前記センサＩＣと前記制御部と前記駆動部とが配置された基板を更に備える、付記２５または付記２６に記載の検知装置。
［付記２８］
前記センサＩＣと、前記制御部と、前記駆動部とは、前記支持体に配置されており、
前記第１電極および前記第２電極は、前記センサＩＣと、前記制御部と、前記駆動部とは、前記支持体を挟んで反対側に配置されている、付記２３または付記２４に記載の検知装置。
［付記２９］
前記第１電極および前記第２電極に重なる粘着層と、
前記粘着層を覆う被覆層と、を更に備える、付記２７に記載の検知装置。
［付記３０］
少なくとも１つの追加の電極を更に備え、
前記第１部品は、使用者が把持するための把持部を含み、前記検知装置は、前記使用者の指と前記少なくとも１つの追加の電極との間の静電容量の変化に基づき、前記指の前記把持部への接触の有無を検知する、付記２５に記載の検知装置。
［付記３１］
前記流体の状態を表示するインジケータを更に備える、付記１６に記載の検知装置。
【符号の説明】
【００７１】
１  支持体
１１  支持体表面
１２  支持体裏面
２１Ａ  第１表面
２１Ｂ  第２表面
２１Ｃ  第３表面
２６Ａ  第１連絡電極
２６Ｂ  第２連絡電極
２６Ｃ  第３連絡電極
２８Ａ  第１裏面電極
２８Ｂ  第２裏面電極
２８Ｃ  第３裏面電極
２９Ａ  第１電荷
２９Ｂ  第２電荷
２９Ｃ  第３電荷
２Ａ  第１電極
２Ｂ  第２電極
２Ｃ  第３電極
３１  絶縁層
３３  粘着層
３５  被覆層
５０  基板
５１  センサＩＣ
５２  制御部
５３  駆動部
５５  通信部
５６  記憶部
５９  電源
６１  保持部材
６１１  第１部品
６１１Ａ  第１保持面
６１１Ｈ  第１把持部
６１２  第２部品
６１２Ａ  第２保持面
６１２Ｈ  第２把持部
６３  軸
６５  柔軟部
７１  通信部
７２  制御部
８１  対象体
８２  流体
８３  空間
Ａ１  検知装置
Ａ２  検知装置
Ｃ１  キャパシタ
Ｋ１，Ｋ２  角度
Ｌ１〜Ｌ４，ＬＡ，ＬＢ，ＬＣ  寸法
Ｓ１  容量信号
Ｓ２  通信信号
【図１】
2018194429.tif 000003
【図２】
2018194429.tif 000004
【図３】
2018194429.tif 000005
【図４】
2018194429.tif 000006
【図５】
2018194429.tif 000007
【図６】
2018194429.tif 000008
【図７】
2018194429.tif 000009
【図８】
2018194429.tif 000010
【図９】
2018194429.tif 000011
【図１０】
2018194429.tif 000012
【図１１】
2018194429.tif 000013
【図１２】
2018194429.tif 000014
【図１３】
2018194429.tif 000015